(57)【要約】【課題】先端部の硬度を向上させると共に、材料費や製作費等のコストを抑制しつつ、溶接ワイヤに対して安定した給電状態を維持できる溶接用分割型コンタクトチップの提供。【解決手段】本発明は、母材２と溶接ワイヤ３との間にアークを発生させるアーク溶接に用いられる溶接用分割型コンタクトチップ１において、溶接ワイヤ３をアークの発生位置へ導く溶接トーチ１１に取付けられる本体部１６と、本体部１６に取外し可能に設けられ、冷間鍛造により形成された先端部１７とを備え、先端部１７は、冷間鍛造後に穿設され、溶接ワイヤ３を挿通させる溶接ワイヤ挿通孔１８を含む。【選択図】図２
2016068093.tif 000002
【特許請求の範囲】
【請求項１】
母材と溶接ワイヤとの間にアークを発生させるアーク溶接に用いられる溶接用分割型コンタクトチップにおいて、
前記溶接ワイヤをアークの発生位置へ導く溶接トーチに取付けられる本体部と、
前記本体部に取外し可能に設けられ、冷間加工により形成された先端部とを備え、
前記先端部は、前記冷間加工後に穿設され、前記溶接ワイヤを挿通させる溶接ワイヤ挿通孔を含むことを特徴とする溶接用分割型コンタクトチップ。
【請求項２】
請求項１に記載の溶接用分割型コンタクトチップにおいて、
前記先端部は、前記溶接ワイヤが前記溶接ワイヤ挿通孔に挿通した際に、両端の内壁に接触して通電するように形成された一対の通電部を含むことを特徴とする溶接用分割型コンタクトチップ。
【請求項３】
請求項２に記載の溶接用分割型コンタクトチップにおいて、
前記先端部は、前記一対の通電部の間の中央部分に設けられ、前記本体部に取付ける取付部を含むことを特徴とする溶接用分割型コンタクトチップ。
【請求項４】
請求項３に記載の溶接用分割型コンタクトチップにおいて、
前記本体部は、先端に雌螺子が形成された開口を有する筒体から成り、
前記先端部は、前記開口に沿って後方へ延設され、前記本体部の先端から前記開口の内側へ挿入されて前記本体部の先端を基端側へ案内するガイド部を含み、
前記取付部は、前記ガイド部の基端に形成され、前記雌螺子と螺合する雄螺子から成り、
前記本体部の前記雌螺子と前記ガイド部の前記雄螺子が螺合した状態で、前記本体部の内壁と前記ガイド部との間に間隙を設けたことを特徴とする溶接用分割型コンタクトチップ。
【請求項５】
請求項１に記載の溶接用分割型コンタクトチップにおいて、
前記本体部の内径は、前記先端部の前記溶接ワイヤ挿通孔の径よりも大きく設定されたことを特徴とする溶接用分割型コンタクトチップ。
【発明の詳細な説明】
【技術分野】
【０００１】
本発明は、母材と溶接ワイヤとの間にアークを発生させるアーク溶接に用いられる溶接用分割型コンタクトチップに関する。
【背景技術】
【０００２】
一般に、油圧ショベル等の建設機械の構成部材のように、金属材料から成る２つの部材を接合して製品に要求される形状や強度を確保する手段として、マグ溶接やパルス溶接等のアーク溶接が行われている。アーク溶接は、例えば、接合対象の母材に溶接ワイヤを対向させ、母材と溶接ワイヤとの間にアークを発生させることにより、アークの熱で溶接ワイヤを母材へ溶かし込みながら溶接する方法である。
【０００３】
このようなアーク溶接の熱源となるアークを発生させるために、従来より、溶接ワイヤに接触しながら給電するコンタクトチップが用いられている。このコンタクトチップは、アーク溶接中にアークの発生位置へ送給される溶接ワイヤと摺動することで内壁が徐々に摩耗することにより、発生したアークの状態が不安定になるので、その内壁の摩耗量に応じて新しいものに交換する必要がある。
【０００４】
従って、コンタクトチップは消耗品であるため、特に建設機械の構成部材のように比較的大きくなり易い部材の接合にアーク溶接を用いた場合には、コンタクトチップの交換頻度が高くなってコストがかかることが問題になっていた。そこで、コンタクトチップを先端部と、この先端部を支持するホルダとしての本体部とに分割する構成とし、本体部よりも消耗し易い先端部のみを交換することにより、一体型のコンタクトチップに比べて交換に必要なコストを低減することができる溶接用分割型コンタクトチップが提案されている。
【０００５】
この種の溶接用分割型コンタクトチップの従来技術の１つとして、中心にワイヤ送り出し孔を備えたチップを筒状のアダプターの先端に装着した電気溶接機のコンタクトチップが知られている（例えば、特許文献１参照）。
【０００６】
また、溶接用分割型コンタクトチップの他の従来技術の１つとして、導電性材料から成り、溶接ワイヤの通路に沿って形成された螺子穴を先端に有するコンタクトチップ本体と、溶接ワイヤの通路に沿って形成された螺子部を有するコンタクトチップ先端部とから構成された溶接用コンタクトチップが知られている（例えば、特許文献２参照）。
【先行技術文献】
【特許文献】
【０００７】
【特許文献１】特開２０００−６１６３９号公報
【特許文献２】特開平７−２５６４６１号公報
【発明の概要】
【発明が解決しようとする課題】
【０００８】
特許文献１に開示された従来技術の電気溶接機のコンタクトチップでは、チップ及びアダプターを導電性及び硬度に優れ、かつ安価なクロム銅合金で鍛造して作製しているが、特許文献１には、チップをアダプターの中空部内に先端側から装着した構造である点は従来のこの種のコンタクトチップと基本的に同じである旨が記載されているので、ワイヤ送り出し孔を絞って目的の径寸法に調整するために、チップ及びアダプターをスエージング加工により作製していると考えられる。このような製作過程では、スエージング加工を行う前にチップにある程度のワイヤ送り出し孔が既に形成されていることから、チップにスエージング加工を行っても十分な硬度を確保できないことが問題になっている。
【０００９】
また、特許文献２に開示された従来技術の溶接用コンタクトチップでは、コンタクトチップ先端部及びコンタクトチップ本体を、耐摩耗性を有する材料で形成するようにしており、この耐摩耗性を有する材料として、例えば銅（Ｃｕ）とベリリウム（Ｂｅ）の合金から成るベリリウム銅（ＢｅＣｕ）や銅とタングステン（Ｗ）の合金から成る銅タングステン（ＣｕＷ）を用いた場合には、合金成分のベリリウムやタングステンがレアメタルで高価であるため、コンタクトチップの材料費や製作費等のコストが高くなることが懸念されている。
【００１０】
さらに、これらのベリリウムやタングステンのようなコンタクトチップに含まれる不純物の含有量が多くなると、コンタクトチップの電気伝導率が低下するので、コンタクトチップが溶接ワイヤに対して電力を安定的に供給することができず、アーク溶接を適切に行うことができない虞がある。
【００１１】
本発明は、このような従来技術の実情からなされたもので、その目的は、先端部の硬度を向上させると共に、材料費や製作費等のコストを抑制しつつ、溶接ワイヤに対して安定した給電状態を維持することができる溶接用分割型コンタクトチップを提供することにある。
【課題を解決するための手段】
【００１２】
上記の目的を達成するために、本発明の溶接用分割型コンタクトチップは、母材と溶接ワイヤとの間にアークを発生させるアーク溶接に用いられる溶接用分割型コンタクトチップにおいて、前記溶接ワイヤをアークの発生位置へ導く溶接トーチに取付けられる本体部と、前記本体部に取外し可能に設けられ、冷間加工により形成された先端部とを備え、前記先端部は、前記冷間加工後に穿設され、前記溶接ワイヤを挿通させる溶接ワイヤ挿通孔を含むことを特徴としている。
【００１３】
このように構成した本発明では、溶接ワイヤを挿通させる溶接ワイヤ挿通孔を穿設する前に、本体部に取付けられる先端部に対して冷間加工を行うことにより、先端部が塑性変形して硬化するので、先端部の硬度を十分に確保することができる。さらに、先端部の製作過程において、母材の合金成分としてベリリウムやタングステン等のレアメタルを用いなくても、耐摩耗性に優れた先端部が得られるので、コンタクトチップを安価に製作することができる。しかも、コンタクトチップの不純物の含有量が抑えられるので、コンタクトチップの電気伝導率を高く維持することができる。このように、先端部の硬度を向上させると共に、材料費や製作費等のコストを抑制しつつ、溶接ワイヤに対して安定した給電状態を維持することができる。
【００１４】
また、本発明に係る溶接用分割型コンタクトチップは、前記発明において、前記先端部は、前記溶接ワイヤが前記溶接ワイヤ挿通孔に挿通した際に、両端の内壁に接触して通電するように形成された一対の通電部を含むことを特徴としている。
【００１５】
このように構成した本発明は、アーク溶接によって母材へ溶け込まれる溶接ワイヤを先端部の溶接ワイヤ挿通孔を通して送給している間、仮に先端部の両端のうち一方の内壁が摩耗して溶接ワイヤとの接触状態が不安定になっても、先端部の他方の内壁と溶接ワイヤが接触しているので、先端部が通電部を介して溶接ワイヤに確実に通電することができる。
【００１６】
また、本発明に係る溶接用分割型コンタクトチップは、前記発明において、前記先端部は、前記一対の通電部の間の中央部分に設けられ、前記本体部に取付ける取付部を含むことを特徴としている。
【００１７】
このように構成した本発明は、先端部を本体部に取付ける取付部が先端部における一対の通電部の間の中央部分に配置されていることにより、溶接ワイヤとの接触によって各通電部に押圧力が作用した際に、取付部が本体部に対する先端部の回動支点となるので、溶接ワイヤの送給に伴う取付部の振動を低減することができる。これにより、先端部及び本体部が破損するのを防止することができる。
【００１８】
また、本発明に係る溶接用分割型コンタクトチップは、前記発明において、前記本体部は、先端に雌螺子が形成された開口を有する筒体から成り、前記先端部は、前記開口に沿って後方へ延設され、前記本体部の先端から前記開口の内側へ挿入されて前記本体部の先端を基端側へ案内するガイド部を含み、前記取付部は、前記ガイド部の基端に形成され、前記雌螺子と螺合する雄螺子から成り、前記本体部の前記雌螺子と前記ガイド部の前記雄螺子が螺合した状態で、前記本体部の内壁と前記ガイド部との間に間隙を設けたことを特徴としている。
【００１９】
このように構成した本発明では、アーク溶接中に溶接ワイヤが先端部の各通電部に接触して通電することにより、先端部が発熱する。このとき、本体部の内壁と先端部のガイド部との間の間隙が先端部から本体部への熱の伝導を遮蔽することにより、アーク溶接における本体部への熱影響を低減することができる。
【００２０】
また、本発明に係る溶接用分割型コンタクトチップは、前記発明において、前記本体部の内径は、前記先端部の前記溶接ワイヤ挿通孔の径よりも大きく設定されたことを特徴としている。このように構成すると、溶接ワイヤを本体部の内側に挿通し易くなり、本体部から先端部の溶接ワイヤ挿通孔へ容易に導くことができるので、溶接ワイヤの円滑な送給を実施することができる。
【発明の効果】
【００２１】
本発明の溶接用分割型コンタクトチップによれば、先端部の硬度を向上させると共に、材料費や製作費等のコストを抑制しつつ、溶接ワイヤに対して安定した給電状態を維持することができる。前述した以外の課題、構成及び効果は、以下の実施形態の説明により明らかにされる。
【図面の簡単な説明】
【００２２】
【図１】本発明に係る溶接用分割型コンタクトチップの一実施形態が設置される溶接装置の構成を示す図である。
【図２】本実施形態に係る溶接用分割型コンタクトチップの構成を示す図である。
【図３】本実施形態に係る溶接用分割型コンタクトチップの先端部の構成を示す図である。
【図４】本実施形態に係る溶接用分割型コンタクトチップの本体部の構成を示す図である。
【発明を実施するための形態】
【００２３】
以下、本発明に係る溶接用分割型コンタクトチップを実施するための形態を図に基づいて説明する。
【００２４】
図１は本実施形態に係る溶接用分割型コンタクトチップが設置される溶接装置の構成を模式的に示す全体図である。
【００２５】
図１に示すように、本実施形態に係る溶接用分割型コンタクトチップ（以下、便宜的にコンタクトチップと称する）１は、金属材料から成る母材２と溶接ワイヤ３との間にアークを発生させるアーク溶接に用いられ、このアーク溶接の条件を設定してアーク溶接を実施する溶接装置４に設置されるものである。
【００２６】
溶接ワイヤ３は、例えば、母材２と同質の成分の金属材料が使用され、表面が銅等の材料でめっき加工されており、耐摩耗性を有している。このような溶接ワイヤ３は、発生したアークの熱で母材２へ溶け込まれ、母材２の表面に溶接ビード５を形成しながら別個の２つの母材２が接合される。
【００２７】
溶接装置４は、例えば、溶接ワイヤ３をアークの発生位置へ導く溶接トーチ１１と、アーク溶接の電力の供給源となり、母材２及び溶接トーチ１１に対して出力を行う溶接機１２と、アーク溶接により母材２へ溶け込まれる溶接ワイヤ３のコンタクトチップ１からの突出し長さを維持するために、溶接ワイヤ３を溶接トーチ１１へ送給する溶接ワイヤ送給装置１３と、母材２の溶接部分を保護するためのシールドガスをホース１４Ａを介して溶接トーチ１１へ供給するシールドガス供給装置１４とから少なくとも構成されている。
【００２８】
溶接機１２では、正極側の端子に溶接トーチ１１が電気ケーブル１２Ａを介して接続され、負極側の端子に母材２が電気ケーブル１２Ｂを介して接続されている。溶接ワイヤ送給装置１３は、溶接ワイヤ３がコイル状に巻き掛けられたシーブ１３Ａを有し、このシーブ１３Ａの回転速度を制御することにより、溶接ワイヤ３の送給量を調整するようにしている。
【００２９】
シールドガスには、例えば、アルゴン（Ａｒ）を主成分とするアルゴンガス又は二酸化炭素（ＣＯ２）を主成分とする炭酸ガスが用いられる。シールドガス供給装置１４から溶接トーチ１１へ供給されたシールドガスは、溶接トーチ１１から噴出されて母材２の溶接部分の周辺を包み込むようになっている。これにより、母材２の溶接部分を大気から遮断して保護しながら、母材２と溶接ワイヤ３との間に発生したアークの状態を安定させている。
【００３０】
図２はコンタクトチップ１の構成を示す全体図である。
【００３１】
図２に示すように、コンタクトチップ１は、例えば、溶接トーチ１１に取付けられる本体部１６と、この本体部１６に取外し可能に設けられ、冷間加工により形成された先端部１７とを備えており、これらの本体部１６と先端部１７とを分割する構成としている。従って、先端部１７が溶接ワイヤ送給装置１３によって送給される溶接ワイヤ３と摺動して摩耗した場合には、先端部１７のみを新しいものと交換することができる。なお、先端部１７は、後述するように溶接ワイヤ３と通電するため、本体部１６よりも消耗し易くなっており、このように本体部１６と先端部１７との分割型にすることでコンタクトチップ１の交換にかかるコストを低減することができる。
【００３２】
本実施形態は、本体部１６及び先端部１７を製作する材料に同一の金属材料、例えば、クロム銅合金を使用している。また、先端部１７に施す冷間加工として、例えば、先端部１７の型を鋳造等で作製した後、この型に対して押出成形を行うことにより圧縮応力を付与して塑性変形させる冷間鍛造が用いられている。
【００３３】
図３は先端部１７の構成を示す全体図、図４は本体部１６の構成を示す全体図である。
【００３４】
図２、図３に示すように、先端部１７は、例えば、本体部１６に取付けるためのレンチ等の工具の装着部１７Ａ１が形成され、後端面が本体部１６の先端と当接する頭部１７Ａと、この頭部１７Ａの後端面から後方（図２に示す矢印Ａ方向）へ突出した後部１７Ｂとから構成されており、これらの頭部１７Ａ及び後部１７Ｂは円柱状に形成されている。
【００３５】
また、先端部１７は、冷間鍛造後に穿設され、溶接ワイヤ３を挿通させる溶接ワイヤ挿通孔１８を含んでいる。この溶接ワイヤ挿通孔１８は先端部１７の軸線に沿って形成されており、溶接ワイヤ挿通孔１８の径は溶接ワイヤ３の外径よりも若干大きく設定されている。特に、溶接ワイヤ挿通孔１８の両端のうち後部１７Ｂ側の一端の径は、他の部分の径よりも大きく設定されており、当該一端はテーパ状に拡径して形成されている。
【００３６】
ここで、溶接ワイヤ３は溶接ワイヤ送給装置１３のシーブ１３Ａに巻き掛けられていることから、溶接ワイヤ３には曲り癖がついている。そのため、溶接ワイヤ３が先端部１７の溶接ワイヤ挿通孔１８に挿通されると、先端部１７の内壁と接触することになる。
【００３７】
本実施形態では、先端部１７は、溶接ワイヤ３が溶接ワイヤ挿通孔１８に挿通した際に、両端の内壁に接触して通電するように形成された一対の通電部１９Ａ，１９Ｂと、これらの通電部１９Ａ，１９Ｂの間の中央部分に設けられ、本体部１６に取付ける取付部２０とを含んでいる。なお、先端部１７の長さは、溶接ワイヤ３が両端の各通電部１９Ａ，１９Ｂと接触し得る最小の寸法に設定されている。
【００３８】
図２、図４に示すように、本体部１６は、先端に雌螺子２１が形成された開口２２を有する筒体から成っており、本体部１６の内径は、先端部１７の溶接ワイヤ挿通孔１８の径よりも大きく設定されている。さらに、本体部１６の後端側には、溶接トーチ１１に取付ける取付部１６Ａが設けられている。
【００３９】
また、図２、図３において、先端部１７の後部１７Ｂは、頭部１７Ａから本体部１６の開口２２に沿って後方へ延設され、本体部１６の先端から開口２２の内側へ挿入されて本体部１６の先端を基端側へ案内するガイド部から構成されている。取付部２０は、例えば、このガイド部１７Ｂの基端に形成され、本体部１６の雌螺子２１と螺合する雄螺子から成っている。
【００４０】
そして、図２、図４に示すように、コンタクトチップ１は、本体部１６の雌螺子２１と先端部１７のガイド部１７Ｂの雄螺子２０が螺合した状態で、本体部１６の内壁とガイド部１７Ｂとの間に間隙２５を設けている。従って、本体部１６の開口２２奥側の大きさは、先端部１７のガイド部１７Ｂの先端（図２に示す矢印Ａ方向側の一端）部分よりも大きく設定された中空構造となり、本体部１６の内壁とガイド部１７Ｂの先端が接触しないようにしている。
【００４１】
このように構成した本実施形態に係るコンタクトチップ１によれば、先端部１７の型を作製し、この型に対して冷間鍛造を用いて加工硬化させてから、先端部１７に溶接ワイヤ挿通孔１８を穿設するようにしているので、先端部１７の硬度を十分に確保することができる。従って、本実施形態では、スエージング加工を用いた溶接ワイヤ挿通孔１８の形成では得られない先端部１７の強度を冷間鍛造によって容易に実現できるので、先端部１７の耐久性を高めることができる。
【００４２】
また、コンタクトチップ１の材料として使用したクロム銅合金は、ベリリウム（Ｂｅ）やタングステン（Ｗ）等のレアメタルよりも安価であるので、コンタクトチップ１の材料費や製作費等のコストを削減することができる。さらに、本実施形態は、先端部１７の所望の硬度を冷間鍛造により実現しているので、先端部１７の硬度を改善するための不純物を添加しなくて済み、先端部１７の通電部１９Ａ，１９Ｂと溶接ワイヤ３との良好な通電を持続することができる。このように、先端部１７の硬度を向上させると共に、材料費や製作費等のコストを抑制しつつ、溶接ワイヤ３に対して安定した給電状態を維持することができるので、経済性及び信頼性に優れたコンタクトチップ１を提供することができる。
【００４３】
また、本実施形態では、先端部１７の両端の内壁に通電部１９Ａ，１９Ｂが形成され、これらの通電部１９Ａ，１９Ｂと溶接ワイヤ３との接点が２箇所になるので、溶接ワイヤ送給装置１３がシーブ１３Ａから溶接ワイヤ３を先端部１７の溶接ワイヤ挿通孔１８を通して送給している間、仮に先端部１７の両端のうち一方の内壁が摩耗して溶接ワイヤ３との接触状態が不安定になっても、先端部１７の他方の内壁を溶接ワイヤ３に接触させることができる。これにより、先端部１７が通電部１９Ａ，１９Ｂを介して溶接ワイヤ３に確実に通電できるので、アーク溶接中の溶接ワイヤ３の母材２への溶け込みを効率良く行うことができ、アーク溶接における生産性を向上させることができる。
【００４４】
また、本実施形態は、先端部１７の雄螺子２０が両端の通電部１９Ａ,１９Ｂの間の中央部分に設けられているので、溶接ワイヤ３との接触によって各通電部１９Ａ,１９Ｂに押圧力が作用した際に、雄螺子２０が本体部１６に対する先端部１７の回動支点となる。そのため、溶接ワイヤ送給装置１３による溶接ワイヤ３の送給中に本体部１６と先端部１７の締結部分の振動が低減され、螺合した本体部１６の雌螺子２１と先端部１７の雄螺子２０が緩むことを防止することができる。これにより、コンタクトチップ１における強固な固定構造を実現できるので、高い耐久性を得ることができる。
【００４５】
また、本実施形態は、先端部１７のガイド部１７Ｂの雄螺子２０を本体部１６の雌螺子２１に螺合して先端部１７を本体部１６に取付けると、本体部１６の内壁と先端部１７のガイド部１７Ｂとの間に間隙２５が形成される。このとき、本体部１６と先端部１７との接触部分が雌螺子２１と雄螺子２０が形成された範囲に限定されているので、アーク溶接中に先端部１７の各通電部１９Ａ，１９Ｂと溶接ワイヤ３が通電して先端部１７が発熱しても、先端部１７から本体部１６へ熱が移動するのを妨げることができる。
【００４６】
特に、先端部１７の雄螺子２０は両端の通電部１９Ａ，１９Ｂから引き離された位置にあるので、本体部１６の発熱を効果的に抑制することができ、アーク溶接に伴う熱影響を受けて本体部１６が劣化するのを回避することができる。さらに、本体部１６及び先端部１７を製作する材料に同一の材料を用いているので、本体部１６及び先端部１７の熱膨張係数が等しくなり、アーク溶接中における本体部１６及び先端部１７にかかる負荷を軽減することができる。これにより、コンタクトチップ１の高寿命化を図ることができる。
【００４７】
また、本実施形態では、本体部１６の内径は、先端部１７の溶接ワイヤ挿通孔１８の径よりも大きく設定されているので、溶接ワイヤ３を本体部１６の内側に挿通し易くなり、本体部１６から先端部１７の溶接ワイヤ挿通孔１８へ容易に導くことができる。しかも、溶接ワイヤ挿通孔１８の両端のうち後部１７Ｂ側の一端は、テーパ状に拡径しているので、溶接ワイヤ３の溶接ワイヤ挿通孔１８への挿通性を高めることができる。これにより、溶接ワイヤ送給装置１３による溶接ワイヤ３の円滑な送給を実施できるので、溶接ワイヤ３のコンタクトチップ１からの突出し長さを的確に調整することができる。
【００４８】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００４９】
また、本実施形態では、先端部１７に施す冷間加工として、先端部１７の型を鋳造等で作製した後、この型に対して押出成形を行うことにより圧縮応力を付与して塑性変形させる冷間鍛造を用いた場合について説明したが、この場合に限らず、例えば、作製した先端部１７の型に対して引抜成形により圧縮応力を付与して塑性変形させる冷間鍛造を用いてもよい。この場合には、押出成形による冷間鍛造と比較して、得られた先端部１７の内壁の表面を良好に仕上げることができる。
【符号の説明】
【００５０】
１  溶接用分割型コンタクトチップ
２  母材
３  溶接ワイヤ
４  溶接装置
５  溶接ビード
１１  溶接トーチ
１２  溶接機
１２Ａ，１２Ｂ  電気ケーブル
１３  溶接ワイヤ送給装置
１３Ａ  シーブ
１４  シールドガス供給装置
１４Ａ  ホース
１６  本体部（筒体）
１６Ａ  取付部
１７  先端部
１７Ａ  頭部
１７Ａ１  装着部
１７Ｂ  ガイド部（後部）
１８  溶接ワイヤ挿通孔
１９Ａ，１９Ｂ  通電部
２０  雄螺子（取付部）
２１  雌螺子
２２  開口
２５  間隙
【図１】
2016068093.tif 000003
【図２】
2016068093.tif 000004
【図３】
2016068093.tif 000005
【図４】
2016068093.tif 000006